【手続補正書】
【提出日】平成20年3月17日(2008.3.17)
【手続補正１】
【補正対象書類名】明細書
【補正対象項目名】特許請求の範囲
【補正方法】変更
【補正の内容】
【特許請求の範囲】
【請求項１】  ジカルボン酸成分及びジオール成分を有するコポリエステルから製造された繊維であって、コポリエステルが、下記の構造：
【化１】
2003532804.tif 000001
の繰り返し単位を含み、ジオール成分が−Ｏ−Ｒ11−Ｏ−及び−Ｏ−Ｒ12−Ｏ−を含み（式中、Ｒ11及びＲ12はＣ2〜Ｃ12アルキレン、Ｃ5〜Ｃ10シクロアルキレン、Ｃ2〜Ｃ12オキシアルキレン及びこれらの混合物からなる群から選択される）、ジカルボン酸成分が脂肪族ジカルボン酸−Ｏ−Ｃ（Ｏ）−Ｒ13−Ｃ（Ｏ）−及び芳香族又はシクロ脂肪族ジカルボン酸成分−Ｏ−Ｃ（Ｏ）−Ｒ14−Ｃ（Ｏ）−の両方を含み（式中、Ｒ13はＣ0〜Ｃ8アルキレン、Ｃ2〜Ｃ4オキシアルキレン及びこれらの混合物からなる群から選択され、Ｒ13のモル％がジカルボン酸成分の９５％より小さく且つ６０％より大きく、そしてＲ14がＣ6〜Ｃ10アリール、Ｃ5〜Ｃ10シクロ脂肪族及びこれらの混合物からなる群から選択される、Ｒ14のモル％がジカルボン酸成分の５％より大きく且つ４０％より小さい繊維。
【請求項２】  ジオール成分が１，４−ブタンジオール、１，６−ヘキサンジオール、１，３−シクロヘキサンジメタノール、１，４−シクロヘキサンジメタノール、２，２，４−トリメチル−１，６−ヘキサンジオール、２，２，４，４−テトラメチル−１，３−シクロブタンジオール及びこれらの混合物からなる群から選択される請求項１に記載の繊維。
【請求項３】  脂肪族ジカルボン酸成分がグルタル酸、コハク酸、アジピン酸又はこれらの混合物の酸又はエステルであり、そして芳香族又はシクロ脂肪族ジカルボン酸成分がテレフタル酸、１，３−シクロヘキサンジカルボン酸、１，４−シクロヘキサンジカルボン酸、２，５−ノルボルナンジカルボン酸、１，３−シクロペンタンジカルボン酸、１，５−ナフタレンジカルボン酸、２，６−ナフタレンジカルボン酸又はこれらの混合物の酸又はエステルである請求項１に記載の繊維。
【請求項４】  芳香族又はシクロ脂肪族ジカルボン酸が４０％未満から２５％までの範囲内のモル％量で存在する請求項１に記載の繊維。
【請求項５】  コポリエステルが直鎖、ランダム、半結晶性であり、そして０．４〜１．８デシリットル／グラムの範囲内のインヘレント粘度を有する請求項１に記載の繊維。
【請求項６】  繊維が３０〜０．１の範囲内のデニールを有する請求項１に記載の繊維。
【請求項７】  請求項１に記載の少なくとも１種の繊維を含有する織物又は不織物品。
【請求項８】  下記の構造：
【化２】
2003532804.tif 000002
の繰り返し単位を含むコポリエステルであって、ジオール成分が−Ｏ−Ｒ11−Ｏ−及び−Ｏ−Ｒ12−Ｏ−を含み（式中、Ｒ11及びＲ12はＣ2〜Ｃ12アルキレン、Ｃ5〜Ｃ10シクロアルキレン、Ｃ2〜Ｃ12オキシアルキレン及びこれらの混合物からなる群から選択される）、ジカルボン酸成分が脂肪族ジカルボン酸Ｒ13及び芳香族又はシクロ脂肪族ジカルボン酸成分Ｒ14を含み（ここでＲ13はＣ0〜Ｃ8アルキレン若しくはＣ2〜Ｃ4オキシアルキレン又はこれらの混合物からなる群から選択され、Ｒ13のモル％がジカルボン酸成分の９５％より小さく且つ６０％より大きく、そしてＲ14がＣ6〜Ｃ10アリール、シクロ脂肪族及びこれらの混合物からなる群から選択され、Ｒ14のモル％がジカルボン酸成分の５％より大きく且つ４０％より小さい、そしてコポリエステルが７５℃〜１６０℃の範囲内の融点を有するコポリエステル。
【請求項９】  芳香族又はシクロ脂肪族ジカルボン酸が４０％未満から２５％までの範囲内のモル％量で存在する請求項８に記載のコポリエステル。
【請求項１０】  コポリエステルが直鎖、ランダム、半結晶性であり、そして０．４〜１．８デシリットル／グラムの範囲内のインヘレント粘度を有する請求項８に記載のコポリエステル。
【請求項１１】  コポリエステルが粉末の形である請求項８に記載のコポリエステル。
【請求項１２】  ジカルボン酸成分及びジオール成分を有するコポリエステルから製造された繊維であって、コポリエステルが下記の構造：
【化３】
2003532804.tif 000003
の繰り返し単位を含み（式中、Ｒ11及びＲ12はＣ2〜Ｃ12アルキレン、Ｃ5〜Ｃ10シクロアルキレン、Ｃ2〜Ｃ12オキシアルキレン及びこれらの混合物からなる群から選択され）、ジカルボン酸成分が脂肪族ジカルボン酸Ｒ13及び芳香族又はシクロ脂肪族ジカルボン酸成分Ｒ14を含み（ここでＲ13はＣ0〜Ｃ10アルキレン又はＣ2〜Ｃ4オキシアルキレン及びこれらの混合物からなる群から選択され、Ｒ13のモル％はジカルボン酸成分の４５〜９５％の範囲内であり、そしてＲ14はＣ6〜Ｃ12アリール及びシクロ脂肪族及びこれらの混合物からなる群から選択され、Ｒ14のモル％はジカルボン酸成分の５〜５５％であり）、ポリエステルが０〜２０モル％の、アミノアルコール、アミノ酸、ジアミン、ラクタム及びこれらの混合物からなる群から選択される、少なくとも１種のアミン化合物の存在下で生成され、コポリエステルが７５℃〜１６０℃の範囲内の融点を有し、そして繊維がメルトブローン、スパンボンド、紡糸繊維及びこれらの組合せからなる群から選択された形をしている繊維。
【請求項１３】  ジカルボン酸成分がジカルボン酸の酸、酸クロリド、無水物及びエステルからなる群から選択される請求項１２に記載の繊維。
【請求項１４】  繊維がポリエチレンテレフタレート繊維よりも弾性である請求項１２に記載の繊維。
【請求項１５】  繊維がバインダー繊維の形である請求項１２に記載の繊維。
【請求項１６】  繊維が一成分バインダー繊維である請求項１２に記載の繊維。
【請求項１７】  繊維が多成分バインダー繊維である請求項１２に記載の繊維。
【請求項１８】  繊維がサイドバイサイド形状又はシース／コア形状を有する多成分バインダー繊維である請求項１２に記載の繊維。
【請求項１９】  繊維が多成分繊維であり、そしてポリエステルがタイ層接着促進剤である請求項１２に記載の繊維。
【請求項２０】  バインダー繊維が熱により活性化することができる請求項１２に記載の繊維。
【請求項２１】  バインダー繊維が超音波、マイクロ波及び無線周波数により活性化することができる請求項１２に記載の繊維。
【請求項２２】  ポリエステルのＩ．Ｖ．が０．４〜１．８０の範囲内である請求項１２に記載の繊維。
【請求項２３】  コポリエステルが３５ｐｐｍ以下のＴｉを含む触媒系の存在下で形成される請求項１２に記載の繊維。
【請求項２４】  コポリエステルがアンチモン触媒物質を含んでいない請求項１２に記載の繊維。
【請求項２５】  コポリエステルが、コポリエステルの重量基準で、８〜３５ｐｐｍのＴｉ、０〜７０ｐｐｍのＭｎ、０〜９０ｐｐｍのＣｏからなる触媒系の存在下で、且つ４０〜９０ｐｐｍのＰを含む触媒抑制剤の存在下で形成される請求項１２に記載の繊維。
【請求項２６】  コポリエステルが少なくとも１種のアミン化合物の存在下で形成される請求項１２に記載の繊維。
【請求項２７】  繊維が７５からマイクロデニールサイズまでの範囲内のデニールを有する請求項１２に記載の繊維。
【請求項２８】  繊維が２０〜１の範囲内のデニールを有する請求項１２に記載の繊維。
【請求項２９】  繊維がジグザグ捲縮又は押し込み型捲縮を有する請求項１２に記載の繊維。
【請求項３０】  繊維がらせん捲縮を有する請求項１２に記載の繊維。
【請求項３１】  繊維が、前記コポリエステルと、他のポリエステル、ポリアミド、セルロースエステル、ポリカーボネート、ポリオレフィン又は官能化ポリオレフィンとの溶融ブレンドである請求項１２に記載の繊維。
【請求項３２】  物品がフィルム、成型物品、不織布、織物、糸、コンポジット、積層物又は粉末の形である請求項３１に記載の溶融ブレンドを含む物品。
【請求項３３】  請求項１２に記載の繊維との他のコポリエステルの溶融ブレンドであって、溶融ブレンドがポリエチレンテレフタレート繊維よりも深い色調にまで染色することができる溶融ブレンド。
【請求項３４】  少なくとも２種のポリエステルを含む組成物であって、第一ポリエステルがポリ乳酸を含み、そして第二ポリエステル組成物がジカルボン酸成分及びジオール成分を含み、そのポリエステルが下記の構造：
【化４】
2003532804.tif 000004
の繰り返し単位を含み（式中、Ｒ11及びＲ12はＣ2〜Ｃ12アルキレン、Ｃ5〜Ｃ10シクロアルキレン、Ｃ2〜Ｃ12オキシアルキレン及びこれらの混合物からなる群から選択され）、ジカルボン酸成分が脂肪族ジカルボン酸Ｒ13及び芳香族又はシクロ脂肪族ジカルボン酸成分Ｒ14を含み（ここでＲ13はＣ0〜Ｃ10アルキレン又はＣ2〜Ｃ4オキシアルキレン及びこれらの混合物からなる群から選択され、Ｒ13のモル％がジカルボン酸成分の４５〜９５％の範囲内であり、そしてＲ14がＣ6〜Ｃ12アリール及びシクロ脂肪族及びこれらの混合物からなる群から選択され、Ｒ14のモル％がジカルボン酸成分の５〜５５％である）組成物。
【請求項３５】  組成物がメルトブローン、スパンボンド、紡糸繊維及びこれらの組合せからなる群から選択された形である請求項３４に記載の組成物。
【請求項３６】  請求項３５に記載の組成物から形成された織物又は不織物品。
【請求項３７】  組成物が多成分バインダー繊維の形である請求項３４に記載の組成物。
【請求項３８】  他のポリエステル、ポリカーボネート、ポリアミド、アクリル樹脂、セルロース材料、羊毛、ガラス、炭素繊維又はこれらの混合物を更に含む請求項３４に記載の組成物。